(57)【要約】【課題】  設備の有効活用を図ると共に、画像データ入力に係る労力的負担を軽減することを可能とする画像出力装置等を提供する。【解決手段】  画像出力装置１０１は、本体２０１、ボックス、衝立２２１等により構成され、衝立２２１の表示領域２２２に各種情報を表示、掲示する。表示領域２２２は、ロールスクリーン、液晶表示パネル、電光掲示板等により構成される。画像出力装置１０１は、ロールスクリーンの場合、ロール２２３をモータ駆動してロールスクリーンの巻取及び巻出を行い、各種情報を表示、切り替える。画像出力装置は、液晶表示パネル、電光掲示板の場合、液晶駆動、点灯制御等を行い、各種情報を表示、切り替える。また、画像出力装置１０１は、接続端子２０４を備える。利用者は、画像出力装置１０１とデジタルカメラ等の機器とを直接接続し、画像データの入力を行う。【選択図】  図２ 
2005165259.tif 000002
【特許請求の範囲】
【請求項１】
画像データを印刷出力する画像出力装置であって、
外部との空間を仕切り表示領域を有する衝立と、
前記表示領域に各種情報を表示する表示手段と、
を具備することを特徴とする画像出力装置。
【請求項２】
前記表示領域は、前記衝立の前面、側面、背面いずれかに有することを特徴とする請求項１に記載の画像出力装置。
【請求項３】
前記表示領域はロールスクリーンにより構成され、前記表示手段は前記ロールスクリーンの巻取及び巻出により各種情報の表示あるいは切替を行うことを特徴とする請求項１に記載の画像出力装置。
【請求項４】
前記表示領域は液晶表示パネルあるいは電光掲示板により構成され、前記表示手段は前記液晶パネルあるいは前記電光掲示板の制御により各種情報の表示あるいは切替を行うことを特徴とする請求項１に記載の画像出力装置。
【請求項５】
前記各種情報は、広告情報あるいは案内情報を含むことを特徴とする請求項１から請求項４までのいずれかに記載の画像出力装置。
【請求項６】
画像データを入力する入力手段と、
前記画像データに基づいて印刷出力する出力手段と、
機器からの接続線を接続する接続手段と、
を具備することを特徴とする画像出力装置。
【請求項７】
前記接続手段は、前記接続線の接続端子を含むことを特徴とする請求項６に記載の画像出力装置。
【発明の詳細な説明】
【技術分野】
【０００１】
本発明は、デジタルカメラで撮影した画像、スキャナで読込んだ画像、持参した記録媒体に記録されている画像データ、装置に予め保存してある画像等をプリントする画像出力装置等に関する。
【背景技術】
【０００２】
近年、画像出力装置（デジタルフォトプリント装置等）が街頭端末（ＫＩＯＳＫ端末）として店舗内や街頭に設置され、利用されている。この画像出力装置は、デジタルカメラ等で撮像した画像、記録媒体に記録されている画像データ等を読み込んで、画像編集、画像合成、プリント出力等を行う（例えば、［特許文献１］、［非特許文献１］参照。）。
【０００３】
画像出力装置は、駅前の証明写真撮影コーナー、ゲームセンター等のアミューズメント施設等に設置され、利用者は、自分のデジタルカメラで撮影した画像データを記録した記録媒体を持参して画像出力装置に読み取らせ、あるいは、その場で撮影を行い、必要に応じて画像編集処理等を行い、出力サイズ、出力枚数等を指定して高精細なカラープリントを出力し、そのまま持ち帰ることができる。
【０００４】
【特許文献１】特開２００２−４６３２４号公報
【非特許文献１】大日本印刷株式会社、"デジカメプリントのすすめ"、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００５】
しかしながら、従来の画像出力装置は、本体のみで構成される場合、利用者の利用空間、プライベート空間を確保することが困難であるという問題点がある。また、本体と共にボックス、衝立等を設けることによりプライベート空間を確保する場合、その分空間を常時占有することになり、他の用途にも用いられることもなく、設備の有効活用の面で効率的でないという問題点がある。
【０００６】
また、デジタルカメラ等の機器から画像データを入力する場合、機器から画像データが記録された記録媒体を取り出し、当該記録媒体を画像出力装置のメディア挿入口に挿入し、画像データ入力後、記録媒体をメディア挿入口から取り出して元の機器に装着する必要があり、労力的負担が増大するという問題点がある。さらに、機器からの記録媒体の取り出し、装着の際、機器あるいは記録媒体の破損、データの滅失等のおそれがあるという問題点がある。
【０００７】
本発明は、以上の問題点に鑑みてなされたものであり、設備の有効活用を図ると共に、画像データ入力に係る労力的負担を軽減することを可能とする画像出力装置等を提供することを目的とする。
【課題を解決するための手段】
【０００８】
前述した目的を達成するために第１の発明は、画像データを印刷出力する画像出力装置であって、外部との空間を仕切り表示領域を有する衝立と、前記表示領域に各種情報を表示する表示手段と、を具備することを特徴とする画像出力装置である。
【０００９】
第１の発明の画像出力装置は、外部との空間を仕切る衝立、ボックス等を備え、衝立、ボックス等の表示領域に広告情報、案内情報等の各種情報を表示する。
表示領域は、ロールスクリーン、液晶表示パネル、電光掲示板等により構成される。
画像出力装置は、ロールスクリーンの場合、ロールをモータ駆動してロールスクリーンの巻取及び巻出を行い、各種情報を表示、切り替える。
画像出力装置は、液晶表示パネル、電光掲示板の場合、液晶駆動、点灯制御等を行い、各種情報を表示、切り替える。
【００１０】
第１の発明では、画像出力装置は、本体と共にボックス、衝立等を備え、当該ボックス、衝立等にバナー広告、ニュース、案内情報等の各種情報を表示、掲示するので、利用者の利用空間、プライベート空間を確保すると共に設備の有効活用、広告宣伝効果等を図ることができる。
【００１１】
第２の発明は、画像データを入力する入力手段と、前記画像データに基づいて印刷出力する出力手段と、機器からの接続線を接続する接続手段と、を具備することを特徴とする画像出力装置である。
【００１２】
第２の発明の画像出力装置は、機器（デジタルカメラ等）からの接続線（ＵＳＢケーブル等）を接続する接続端子等を備える。
利用者は、機器と画像出力装置を接続線により接続し、画像データを機器から画像出力装置に直接入力する。
【００１３】
第２の発明では、画像出力装置とデジタルカメラ等の機器とを直接接続することができるので、画像データ入力に係る操作負担を軽減することができる。また、画像データ入力の際、機器から記録媒体を取り出したり装着する必要がないので、機器あるいは記録媒体の破損、データの滅失等を防止することができる。
【発明の効果】
【００１４】
本発明によれば、設備の有効活用を図ると共に、画像データ入力に係る労力的負担を軽減することを可能とする画像出力装置等を提供することができる。
【発明を実施するための最良の形態】
【００１５】
以下、添付図面を参照しながら、本発明に係る画像出力装置等の好適な実施形態について詳細に説明する。なお、以下の説明及び添付図面において、略同一の機能構成を有する構成要素については、同一の符号を付することにより重複説明を省略することにする。
【００１６】
最初に、図１を参照しながら、本発明の実施の形態に係る画像出力装置１０１の構成について説明する。
図１は、画像出力装置１０１の構成を示すブロック図である。
【００１７】
画像出力装置１０１は、画像データ読込書込手段１１１、画像編集合成手段１１２、素材データベース１１３、プリント手段１１４、注文内容入力手段１１５、課金手段１１６、衝立表示手段１１７等を備える。
【００１８】
画像データ読込書込手段１１１は、被写体１２１（利用者）をデジタルカメラ等の撮像装置により撮像したり、原稿１２２をスキャナ装置等の原稿読取装置により読み取ったり、予め画像データが記録された記録媒体１２３（メディア）から読み取ることにより、画像データを取得する。また、画像データ読込書込手段１１１は、画像出力装置１０１が作成した画像データを記録媒体１２３に記録することもできる。
記録媒体１２３は、例えば、スマートメディア、コンパクトフラッシュ（登録商標）カード（ＣＦカード）、フロッピー（登録商標）ディスク、ＰＣカード、光ディスク（ＣＤ−ＲＯＭ等）等である。
【００１９】
また、画像データ読込書込手段１１１は、デジタルカメラ等の機器１２４から直接、ＵＳＢケーブル等の接続線を介して画像データを読み込むこともできる。
【００２０】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インタフェース手段と画像処理プログラムで構成される。加工や合成編集に扱う画像データとしては、素材データベース１１３に存在する素材画像データ、フレーム画像データ等を用いることもできる。
【００２１】
プリント手段１１４は、高解像度カラープリンタである。昇華型あるいはインクジェット型などの方式は問わない。プリント物１２５は、プリント出力された撮像による証明写真、デジタルカメラ画像等による写真、シールプリント、葉書等である。
【００２２】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定等がある。尚、利用者は、画像を出力する前に、１つ以上の画像データを指定して加工および合成編集することができる。
【００２３】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２４】
衝立表示手段１１７は、外部との空間を仕切る衝立（パーティション、ボックス等）の表示領域（ロールスクリーン、液晶パネル、電光掲示板等）に広告情報等の各種情報を表示する。
【００２５】
次に、図２を参照しながら、画像出力装置１０１の外観構成について説明する。
図２は、画像出力装置１０１の外観図（正面図、側面図、上面図）である。
図２に示す画像出力装置１０１は、本体２０１及び衝立２２１等から構成される。
【００２６】
画像出力装置１０１の本体２０１の上段部正面には、タッチパネル付きモニタ等であるモニタ画面２０２が配置されている。モニタ画面２０２は、操作の案内や、操作の状況や、読み取った画像あるいは編集加工した画像等を表示する表示手段としての機能を発揮する。
【００２７】
モニタ画面２０２の下方には、メディア挿入口２０３、接続端子２０４が設置される。接続端子２０４は、機器（デジタルカメラ等）からの接続線（ＵＳＢケーブル等）を接続するための端子である。
また、プリント物の画像を読み取ってデジタルデータ化するスキャナ面（図示しない）等を設けるようにしてもよい。また、デジタルカメラ等の撮像装置により被写体（利用者等）を撮像するためのレンズ窓（図示しない）等を設けるようにしてもよい。
これらのメディア挿入口２０３、接続端子２０４、スキャナ面、レンズ窓は、画像データ読込書込手段１１１の一部を構成する。
【００２８】
メディア挿入口２０３は、各種メディア（スマートメディア、コンパクトフラッシュ（登録商標）カード（ＣＦカード）、フロッピー（登録商標）ディスク、ＰＣカード、光ディスク（ＣＤ−ＲＯＭ等）等）の受付部であり、フロッピ（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。また、画像出力装置１０１の本体２０１内には上記各記録メディアの種類に対応して、それぞれの読取装置（メディアリーダ）の本体（図示しない。）が設置されている。
【００２９】
また、各挿入口には、開閉カバー（シャッタ）を備えても良い。この場合、開閉扉の開閉を制御することにより、処理中に記録メディアを取り出せないようにしたり、課金処理、手数料の徴収が完了するまで記録メディアを取り出せないようにすることができる。
【００３０】
画像出力装置１０１の本体２０１の下段部には、プリント物取出口２０５、スピーカ等が設置され、この他、料金投入口（硬貨投入口、紙幣挿入口）、返却レバー、返却口、レシート取出口、メインテナンスキー、ドア開閉キー等が配置される。
【００３１】
プリント物取出口２０５は、プリント手段１１４の一部を構成する。利用者は、タッチパネルボタンに触れるなどしてプリント実行を指示した後、プリント物取出口２０５から放出されるプリント物を受け取る。
スピーカは、操作中あるいは待機中に、警告音、確認音、操作案内メッセージ、音声、ＢＧＭ、効果音等を再生する。
【００３２】
また、画像出力装置１０１の本体２０１内には、図示しないが、各構成部分を制御するための制御部を含むパーソナルコンピュータや、電圧の変換を行う電源ボックス、停電時に制御部のＣＰＵやハードディスク等の破損を防ぐ無停電電源装置等が設置される。
【００３３】
平台２０６は、手荷物２０７等を置くことができる。利用者が常時視認可能な範囲（目の届く範囲）に手荷物を置くことができるので、盗難、紛失、忘れ物等を防止することができる。
椅子２０８は、衝立２２１の内側に設けられる開閉式の椅子である。利用時は衝立２２１から開き、未利用時は閉じて衝立２２１に一体化するので、無駄に場所を占有することもない。利用者は、椅子２０８に座って落ち着いて画像出力操作を行うことができる。
ドーム２０９は、画像出力装置１０１の本体２０１の上部を囲む半球状の覆いである。ドーム２０９に半透明素材を使用してソフトなイメージを創出するようにしてもよい。
【００３４】
衝立２２１は、外部との空間を仕切るパーティション等であり、利用者のための操作空間、プライベート空間等を確保する。尚、パーティションに代えてボックスにより外部との空間を仕切り、利用者のための操作空間、プライベート空間等を確保するようにしてもよい。利用者は、衝立２２１により背後を気にすることなく画像出力操作に専念することができる。
【００３５】
衝立２２１は、表示領域２２２を有し、当該表示領域２２２には、広告２２４等の各種情報が表示、掲示される。
表示領域２２２としては、ロールスクリーン、液晶パネル、電光掲示板等を用いることができる。図２に示すように、表示領域２２２としてロールスクリーンを用いる場合、ロールスクリーンをロール２２３により巻き出しあるいは巻き取ることにより、衝立２２１における表示、掲示を行ったり、切り替えたりする。
【００３６】
次に、図３を参照しながら、画像出力装置１０１のハードウェア構成について説明する。
図３は、画像出力装置１０１のハードウェア構成図である。
【００３７】
画像出力装置１０１は、制御部３０１、記憶部３０２、入出力部３０３、デジタルカメラ３０４、スキャナ３０５、各種メディア読取書込部３０６（１〜ｎ）、モニタ３０７（タッチパネル付き）、コインメック３０８、ビルバリ３０９、レシートジャーナル処理部３１０、プリンタ３１１、衝立表示部３１２、接続端子３１３等が、システムバス３１４を介して接続される。
【００３８】
制御部３０１は、ＣＰＵ、ＲＯＭ、ＲＡＭ等で構成され、大容量記憶媒体としてのハードディスク等である記憶部３０２に格納されたプログラムに従って、システムバス３１４を介して接続された各装置を駆動制御する。
【００３９】
記憶部３０２には、各構成部分を駆動制御するプログラム、例えば各記録メディアに対応する読取書込プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０７に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３、衝立に表示する衝立表示データ、各種設定データ等が格納されている。
【００４０】
尚、これらの各プログラムコードは、制御部３０１により必要に応じて読み出されてＲＡＭに移され、ＣＰＵに読み出されて各種の手段として実行される。
また、制御部３０１のメモリあるいは記憶部３０２は、処理に必要なデータ、画像データ等の情報を一時的に保持することもできる。
【００４１】
入出力部３０３（ＣＤ−ＲＯＭドライブ装置、キーボード、マウス等）は、制御部３０１のＲＯＭや記憶部３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４２】
デジタルカメラ３０４、スキャナ３０５、各種メディア読取書込部３０６（１〜ｎ）は、画像データの取得、入力を行う。これらは、画像データ読込書込手段１１１に相当する。
【００４３】
モニタ３０７に表示された操作案内に従って、同モニタ３０７に表示されたタッチパネルボタンを選択し触れることにより、プリントモードの選択およびオリジナル画像データの読み込みから、加工、合成編集、プリント物の出力までの一連の操作を行うことができる。モニタ３０７は、上記表示手段に相当する。
【００４４】
コインメック３０８、ビルバリ３０９、レシートジャーナル処理部３１０は、課金手段１１６に相当し、硬貨投入、紙幣挿入を受け付けたり、レシートの発行を行う。
プリンタ３１１は、プリント手段１１４に相当し、画像の印刷出力処理を行う。
【００４５】
衝立表示部３１２は、衝立表示手段１１７に相当し、衝立の表示領域に各種情報を表示する。衝立表示部３１２は、ロールスクリーン、ロール駆動装置（モータ）、液晶パネル、電光掲示板等により構成される。
接続端子３１３は、デジタルカメラ等の機器１２４からの接続線３１５（ＵＳＢケーブル等）を接続するための端子である。
システムバス３１４は、各部、各装置間の制御信号、データ信号等の授受を媒介する経路である。
【００４６】
次に、図４を参照しながら、画像出力装置１０１の動作について説明する。
図４は、画像出力装置１０１の動作を示すフローチャートである。
【００４７】
画像出力装置１０１（制御部３０１）は、サービスの内容、手順、案内等を示すメニュー画面を表示し、利用者に選択させる（ステップ４０１）。
画像出力装置１０１は、画像データを取得し、モニタ上へ表示する（ステップ４０２）。
尚、利用者は、画像データの入力に際し、記録メディアからの読み取り、スキャナからの読み取り、撮像装置（デジタルカメラ等）による被写体の撮像等の方法を選択することができる。また、機器（デジタルカメラ等）からの接続線（ＵＳＢケーブル等）を画像出力装置１０１の本体２０１の接続端子２０４に接続し、機器から直接画像データを入力することもできる。
【００４８】
画像出力装置１０１は、利用者の指示に基づいて、画像データの加工、編集、合成等を行う（ステップ４０３）。画像の加工、編集、合成は、例えば、入力画像データ同士、フレーム画像、既存画像等の合成、塗色、文字入力、移動、拡大・縮小、はがきデータ作成等である。
【００４９】
画像出力装置１０１は、利用者の注文内容（出力形態（写真プリント、シールプリント、インデックスプリント、はがきプリント等）、プリント枚数等）に応じて、課金処理、レシート発行処理を行う（ステップ４０４）。
【００５０】
画像出力装置１０１は、色修正、リサイズ、トリミング、レイアウト、文字・ロゴ合成等の画像処理を行い（ステップ４０５）、画像処理した画像データをメモリ、ハードディスク装置等に保持し、出力可能状態となったプリンタ装置に当該画像データを転送し、印刷出力処理を行う（ステップ４０６）。
画像出力装置１０１の稼働を継続する場合（ステップ４０７のＮｏ）、画像出力装置１０１は、ステップ４０１〜ステップ４０７までの処理を繰り返す。
【００５１】
次に、図５から図７を参照しながら、画像出力装置１０１の衝立表示処理について説明する。
図５は、衝立表示処理における、画像出力装置１０１の動作を示すフローチャートである。
図６は、衝立表示の一態様（ロールスクリーン）を示す図である。
図７は、衝立表示の一態様（液晶パネル、電光掲示板）を示す図である。
【００５２】
画像出力装置１０１（制御部３０１）は、衝立の表示領域に表示するデータ（衝立表示データ）を選択する（ステップ５０１）。
画像出力装置１０１は、衝立の表示領域がロールスクリーンの場合、記憶部から選択した衝立表示データを呼び出し（ステップ５０２）、当該衝立表示データに基づいて、ロールをモータにより駆動してロールスクリーンを巻き取りあるいは巻き出し、各種情報を掲示する（ステップ５０３）。
画像出力装置１０１は、ロールスクリーンによる衝立表示を行う場合、衝立表示データとして、ロールスクリーンの位置と掲示内容との対応を示す情報等を記憶部に保持する。
【００５３】
図６に示すように、画像出力装置１０１は、衝立２２１のロール２２３をモータ駆動し、表示領域２２２の表示、掲示を前の広告６０１から次の広告６０２に切り替える。
【００５４】
画像出力装置１０１は、衝立の表示領域が液晶パネルあるいは電光掲示板の場合、記憶部から選択した衝立表示データを呼び出し（ステップ５０２）、当該衝立表示データに基づいて、液晶表示パネルあるいは電光掲示板を駆動、制御し、各種情報を表示する（ステップ５０４）。
【００５５】
図７に示すように、画像出力装置１０１は、衝立２２１の液晶表示パネルあるいは電光掲示板を駆動、制御して、表示領域２２２に広告７０１を表示する。
【００５６】
以上の過程を経て、画像出力装置１０１は、衝立２２１の表示領域２２２に各種情報を表示する。
このように、画像出力装置は、本体と共にボックス、衝立等を設け、当該ボックス、衝立等にバナー広告、ニュース、案内情報等の各種情報を表示、掲示するので、利用者の利用空間、プライベート空間を確保すると共に設備の有効活用、広告宣伝効果等を図ることができる。
尚、衝立に表示した内容（例えば、サービス券、チケット等）を画像出力装置により印刷出力するようにしてもよい。
また、上記の技術は、画像出力装置以外にも適用可能である。
【００５７】
次に、図８を参照しながら、機器（デジタルカメラ等）と画像出力装置１０１との接続について説明する。
図８は、機器と画像出力装置の接続を示す図である。
【００５８】
従来、機器（デジタルカメラ等）から画像データを画像出力装置に入力する場合、メモリを機器から取り出し、メモリを画像出力装置のメディア挿入口に挿入し、画像データを入力する。
【００５９】
一方、図８に示すように、画像出力装置１０１は、本体２０１に接続端子２０４を備え、当該接続端子２０４に接続線８０２（ＵＳＢケーブル等）を接続し、機器８０１（デジタルカメラ等）から画像出力装置１０１に画像データを直接入力することができる。
【００６０】
通常、デジタルカメラを持参していないときはメモリも持参していないのでプリントできない。さらに、街頭端末（ＫＩＯＳＫ端末）の前でデジタルカメラからメモリを取り出す場所、時間の余裕がなく、手荷物等を所持している場合、街頭端末を利用するまでの準備に相当の手間を要する。
上述のように、デジタルカメラとパーソナルコンピュータを直接接続するのと同様に、デジタルカメラと街頭端末とを直接接続することで、メモリを取り出す手間をなくすことができる。
【００６１】
以上、説明したように、画像出力装置は、本体と共にボックス、衝立等を備え、当該ボックス、衝立等に各種情報を表示、掲示するので、設備の有効活用、広告宣伝効果等を図ることができる。また、画像出力装置とデジタルカメラ等の機器とを直接接続することができるので、画像データ入力に係る操作負担を軽減することができる。また、画像データ入力の際、機器から記録媒体を取り出したり装着する必要がないので、機器あるいは記録媒体の破損、データの滅失等を防止することができる。
【００６２】
尚、画像出力装置は、各手段（図１等）及び各装置（図３等）を一体として構成してもよいし、その一部を分離して、接続線（ケーブル等、有線無線を問わない。）、ネットワーク（専用線、ＬＡＮ、インターネット等、有線無線を問わない。）等により接続するようにしてもよい。
また、画像出力装置は、画面表示によるガイダンスの他、音声、動画等によるガイダンスを行うようにしてもよい。
【００６３】
また、図４、図５等に示す処理を行うプログラムをＣＤ−ＲＯＭ等の記録媒体に保持させて流通させてもよいし、このプログラムを通信回線を介して送受することもできる。
【００６４】
次に、他の実施の形態について説明する。本実施の形態に係る画像出力装置１０１は、本体２０１、及び表示領域２２２を側面、或いは背面（内側）に設けた衝立２２１等から構成される。表示領域２２２には、広告２２４等の各種情報が表示、掲示される。表示領域２２２としては、液晶パネル、電光掲示板、ロールスクリーン等を用いることができる。
図９は、衝立２２１の側面に表示領域２２２を設ける画像出力装置１０１を示す側面図である。
図１０は、衝立２２１の背面（内側）に表示領域２２２を設ける衝立表示を示す図である。
【００６５】
図９に示すように、画像出力装置１０１は、衝立２２１の側面に表示領域２２２を設け、記憶部３０２から選択した衝立表示データを呼び出し、当該衝立表示データに基づいて、液晶表示パネルあるいは電光掲示板を駆動、制御して、表示領域２２２に広告２２４を表示する。
【００６６】
また、図１０に示すように、画像出力装置１０１は、衝立２２１の内側に相当する背面の、椅子２０８の上部に表示領域２２２を設け、同様に、記憶部３０２から選択した衝立表示データを呼び出し、液晶表示パネルあるいは電光掲示板を駆動、制御して、表示領域２２２に広告２２４を表示する。
尚、広告２２４は、バナー広告、ニュース、案内情報等の各種情報である。
【００６７】
また、本実施の形態では、衝立２２１の表示領域２２２が液晶パネルあるいは電光掲示板の場合について述べたが、ロールスクリーンによる衝立表示を行ってもよい。
また、上記の技術は、画像出力装置以外にも適用可能である。
【００６８】
以上、説明したように、画像出力装置１０１は、本体２０１と共にボックス、衝立２２１等を備え、衝立の側面或いは背面に表示領域２２２を設ける当該ボックス、衝立２２１等にバナー広告、ニュース、案内情報等の各種情報を表示、掲示するので、設備の有効活用、本画像出力装置の利用者、及び通行人に対する広告宣伝効果等を図ることができる。更に、衝立２２１の表示領域２２２への各種情報の表示により、プリント待ちしている利用者を退屈させることなく過ごさせることを可能とする。
【００６９】
以上、添付図面を参照しながら、本発明にかかる画像出力装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７０】
【図１】画像出力装置１０１の構成を示すブロック図
【図２】画像出力装置１０１の外観図（正面図、側面図、上面図）
【図３】画像出力装置１０１のハードウェア構成図
【図４】画像出力装置１０１の動作を示すフローチャート
【図５】衝立表示処理における、画像出力装置１０１の動作を示すフローチャート
【図６】衝立表示の一態様（ロールスクリーン）を示す図
【図７】衝立表示の一態様（液晶パネル、電光掲示板）を示す図
【図８】機器と画像出力装置の接続を示す図
【図９】衝立２２１の側面に表示領域２２２を設ける画像出力装置１０１を示す側面図
【図１０】衝立２２１の背面（内側）に表示領域２２２を設ける衝立表示を示す図
【符号の説明】
【００７１】
１０１………画像出力装置
１１１………画像データ読込書込手段
１１２………画像編集合成手段
１１３………素材データベース
１１４………プリント手段
１１５………注文内容入力手段
１１６………課金手段
１１７………衝立表示手段
１２４………機器
２０１………本体
２０２………モニタ画面
２０４………接続端子
２２１………衝立
２２２………表示領域（ロールスクリーン、液晶表示パネル、電光掲示板）
２２３………ロール
２２４………広告
３０１………制御部
３０２………記憶部
３１２………衝立表示部
３１３………接続端子
３１５………接続線
６０１………前の広告
６０２………次の広告
７０１………広告
８０１………機器
８０２………接続線
【図１】
2005165259.tif 000003
【図２】
2005165259.tif 000004
【図３】
2005165259.tif 000005
【図４】
2005165259.tif 000006
【図５】
2005165259.tif 000007
【図６】
2005165259.tif 000008
【図７】
2005165259.tif 000009
【図８】
2005165259.tif 000010
【図９】
2005165259.tif 000011
【図１０】
2005165259.tif 000012